Podtech/llm-jp-corpus-v4-ja_patent huggingface dataset:
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
ポックスウイルス科の腫瘍溶解性ウイルスまたはヘルペスウイルス科の腫瘍溶解性ウイルスと、
能動的塞栓術に適している、生体適合性微粒子物質または親水性高分子ゲル物質と、
を含んでおり、
上記生体適合性微粒子物質または親水性高分子ゲル物質は、分解性デンプン、ポリビニルアルコール、ゼラチンフォームおよびスルホン化ポリビニルアルコールヒドロゲルからなる群より選択される、組成物。
【請求項２】
上記腫瘍溶解性ウイルスは、腫瘍溶解性ワクシニアウイルスである、請求項１に記載の組成物。
【請求項３】
上記腫瘍溶解性ワクシニアウイルスは、下記（i）および／または（ii）を満たしている、請求項２に記載の組成物：
（i）活性なチミジンキナーゼ遺伝子を有していない；
（ii）活性なワクシニア成長因子（ＶＧＦ）遺伝子を有していない。
【請求項４】
上記腫瘍溶解性ワクシニアウイルスは、Renillaルシフェラーゼ、緑色蛍光タンパク質、βガラクトシダーゼおよびβグルクロニダーゼをコードしている導入遺伝子を有している、請求項２または３に記載の組成物。
【請求項５】
上記腫瘍溶解性ワクシニアウイルスは、Copenhagen株、Western Reserve株、Wyeth株またはLister株である、請求項２〜４のいずれか１項に記載の組成物。
【請求項６】
上記腫瘍溶解性ワクシニアウイルスは、顆粒球マクロファージコロニー刺激因子タンパク質、シトシンデアミナーゼタンパク質およびソマトスタチン受容体２型タンパク質のうち１つ以上をさらに有している、請求項２〜５のいずれか１項に記載の組成物。
【請求項７】
上記腫瘍溶解性ウイルスは、
当該ウイルスの最短軸に沿った直径が０．１μｍ以上であるか、または、
当該ウイルスの最短軸に沿った直径が０．２μｍ以上である、
請求項１〜６のいずれか１項に記載の組成物。
【請求項８】
上記生体適合性微粒子物質の当該微粒子の大きさは、１００μｍ〜２０００μｍ、１５０μｍ〜３５０μｍ、１５０μｍ〜２００μｍ、２００μｍ〜２５０μｍ、２５０μｍ〜３００μｍ、または３００μｍ〜３５０μｍである、請求項１〜７のいずれか１項に記載の組成物。
【請求項９】
上記生体適合性微粒子物質の個々の粒子は、０μｍ〜１００μｍ、０μｍ〜５０μｍ、または０μｍ〜２５μｍの範囲で大きさが異なっている、請求項１〜８のいずれか１項に記載の組成物。
【請求項１０】
上記生体適合性微粒子物質の個々の粒子は、直径の平均差が、１００μｍ以下、５０μｍ以下、２５μｍ以下、１０μｍ以下、または５μｍ以下である、請求項１〜９のいずれか１項に記載の組成物。
【請求項１１】
上記生体適合性微粒子物質の個々の粒子は、１０〜２００μｍの粒子または１０〜１００μｍの粒子の凝集体である、請求項１〜１０のいずれか１項に記載の組成物。
【請求項１２】
上記親水性高分子ゲル物質は、１０〜２００μｍの粒子または１０〜１００μｍの粒子を含んでいる、請求項１〜７のいずれか１項に記載の組成物。
【請求項１３】
上記生体適合性微粒子物質または親水性高分子ゲル物質は、一時的な塞栓物質または永久的な塞栓物質である、請求項１〜１２のいずれか１項に記載の組成物。
【請求項１４】
上記組成物を哺乳動物の血管系に導入することによって、哺乳動物の血管上の部位に能動的塞栓術を施す方法への使用のための、請求項１〜１３のいずれか１項に記載の組成物。
【請求項１５】
上記血管上の部位は、腫瘍である部位、上記腫瘍に血液を供給している部位、または上記腫瘍に近接している部位である、請求項１４に記載の使用のための組成物。
【請求項１６】
上記腫瘍は肝臓に位置している原発性腫瘍または続発性腫瘍である、請求項１５に記載の使用のための組成物。
【請求項１７】
上記腫瘍は、続発性腫瘍であり、かつ、転移性悪性黒色腫である、請求項１６に記載の使用のための組成物。
【請求項１８】
上記哺乳動物はヒトである、請求項１４〜１７のいずれか１項に記載の使用のための組成物。
【請求項１９】
上記血管系への造影剤の導入と併せて用いられる、請求項１４〜１８のいずれか１項に記載の使用のための組成物。
【請求項２０】
上記造影剤は、メトリザミド、イオパミドール、イオジキサノール、イオヘキソール、イオプロミド、イオビトリドール、イオメプロール、イオペントール、イオパミロン、イオキシラン、イオトロラン、ガドジアミド、ガドテリドール、イオトロール、イオベルソールまたはその組み合わせから選択される、請求項１９に記載の使用のための組成物。
【請求項２１】
上記組成物を適用して肝臓の腫瘍塊を減量させることによる、癌の処置への使用のための組成物であって、
塞栓術を施された腫瘍塊の７５％以上にネクローシスが誘導され、
上記組成物は肝動脈に導入される、請求項１４〜２０のいずれか１項に記載の使用のための組成物。
【請求項２２】
上記生体適合性微粒子物質または親水性高分子ゲル物質は、ゼラチンフォームである、請求項１に記載の組成物、または請求項２１に記載の使用のための組成物。
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
ドライアイを治療または防止するための医薬の製造における、一般式（Ｉ）：
【化１】
2018517776.tif 000001
式（Ｉ）
[式中、Ｒはグルコースである]
で表される化合物の使用。
【請求項２】
前記医薬が、被験者の目への局所投与用である、請求項１に記載の使用。
【請求項３】
ドライアイを治療または防止するための局所的眼科用組成物であって、式（Ｉ）で表される化合物と、薬学的に許容可能な担体を含み、
【化２】
2018517776.tif 000002
式（Ｉ）、
ここで、Ｒがグルコースであることを特徴とする、ドライアイを治療または防止するための局所的眼科用組成物。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
ヒトの心臓の三尖弁口用の組立品であって、
円筒形状を有する三尖弁バイオプロテーゼ（２１０）と封止スカート（６１０）とを担持している内部ステント（２００）に接続された外部フレーム（１００）
を含み、
前記内部ステント（２００）は円筒形状を有し、
前記外部フレーム（１００）は、その位置を自己三尖弁弁輪内に保持するように構成されており、
前記内部ステント（２００）は、１つ以上の固定ストランドによって前記外部フレームに接続されており、
前記封止スカート（６１０）は前記外部フレーム（１００）と前記内部ステント（２００）との間に存在する隙間空間を覆っており、
前記封止スカート（６１０）は、前記外部フレーム（１００）と前記自己三尖弁弁輪の領域内の自己組織の部位との間の接触空間を遮断するように構成されており、
前記外部フレーム（１００）は、前記フレーム（１００）と前記ステント（２００
との間の隙間空間を規定する、異なる直径の３つのゾーンを備え、前記ゾーンは、２つの外向きの凸状のゾーンから構成され、２つの外向きの凸状のゾーンは、２つの外向きの凸状のゾーンよりも小さい直径を有するゾーンによって分離されていることを特徴とする、
組立品。
【請求項２】
前記外部フレーム（１００）は、前記組立品を前記自己三尖弁弁輪内の適所に保持するように構成されている変形可能領域を有する、請求項１に記載の組立品。
【請求項３】
前記外部フレーム（１００）は、前記自己弁輪の領域から上流側に、前記自己三尖弁弁輪内における前記組立品の保持を強化するように構成された形状を有する、請求項１又は２に記載の組立品。
【請求項４】
前記外部フレーム（１００）は、前記自己弁輪の領域から下流側に、前記自己三尖弁弁輪内における前記組立品の保持を強化するように構成された形状を有する、請求項１〜３のいずれか一項に記載の組立品。
【請求項５】
前記外部フレーム（１００）は、１つ以上のストランド（４１１，４１２，４１３，４１４）によって前記内部ステント（２００）に接続されている、請求項１〜４のいずれか一項に記載の組立品。
【請求項６】
前記外部フレーム（１００）は４つのサブセクション（１０１，１０２，１０３，１０４）を含み、前記サブセクションのそれぞれは、ニチノール製のストランドによって前記内部ステントに接続されている、請求項１〜５のいずれか一項に記載の組立品。
【請求項７】
前記自己組織に固定するための少なくとも１つの固定要素（５０１，５０２）を更に含む、請求項１〜６のいずれか一項に記載の組立品。
【請求項８】
前記封止スカート（６１０）は、いくつかのサブセクション及び／又はいくつかの材料層から構成されている、請求項１〜７のいずれか一項に記載の組立品。
【請求項９】
前記フレーム（１００）及び／又は前記ステント（２００）及び／又は固定ストランド（４１１，４１２，４１３，４１４）及び／又は固定要素（５０１，５０２）は感熱材料及び／又は形状記憶材料から構成されている、請求項１〜８のいずれか一項に記載の組立品。
【請求項１０】
少なくとも１つのセンサ及び／又は放射線不透過性マーカーを更に含む、請求項１〜９のいずれか一項に記載の組立品。
【請求項１１】
前記組立品の構造を変更するのに好適な及び／又は前記自己弁輪に対する前記組立品の一部の位置を調整するのに好適なアクチュエータを更に含む、請求項１〜１０のいずれか一項に記載の組立品。
【請求項１２】
前記組立品は、下大静脈内に配置するのに好適なステント（７０１）に接続されており、前記ステントは、ニチノール製のストランドによって前記組立品の前記フレームに接続されている、請求項１〜１１のいずれか一項に記載の組立品。
【請求項１３】
前記組立品は、経皮的経路による導入のためにカテーテル内でパッケージされた状態（８００）に折り畳まれている、請求項１〜１２のいずれか一項に記載の組立品。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
超音波プローブ、Ｘ線画像取得ユニット、及び処理ユニットを含む、身体部内の超音波プローブの位置を追跡するためのシステムであって、
前記Ｘ線画像取得ユニットは、前記超音波プローブが位置付けられている身体部の一部のＸ線画像を取得し、
前記処理ユニットは、前記身体部の一部内の前記超音波プローブの第１の幾何学的位置情報を、前記Ｘ線画像を利用して決定し、
前記超音波プローブは、身体特徴部を含む少なくとも１つの超音波画像を取得し、前記少なくとも１つの超音波画像は、前記身体部の一部のＸ線画像の取得時点よりも後の時点に取得される超音波画像を含む、システムにおいて、
前記処理ユニットは、さらに、前記後の時点における前記身体部内の前記超音波プローブの第２の幾何学的位置情報を、前記第１の幾何学的位置情報と、前記身体特徴部を含む前記少なくとも１つの超音波画像とを利用して決定することを特徴とする、システム。
【請求項２】
前記少なくとも１つの超音波画像は、前記身体部の一部の前記Ｘ線画像の取得時点と実質的に同じ時点で取得される超音波画像を含む、請求項１に記載のシステム。
【請求項３】
前記Ｘ線画像取得ユニットは、前記処理ユニットが、前記第１の幾何学的位置情報及び前記第２の幾何学的位置情報の関数としてのある閾値が超えられたと決定する場合に、前記超音波プローブが位置付けられている身体部の一部の第２のＸ線画像を取得する、請求項１又は２に記載のシステム。
【請求項４】
前記処理ユニットは、前記少なくとも１つの超音波画像を利用することによって、前記身体特徴部の少なくとも１つの位置に対して前記超音波プローブの少なくとも１つの位置を決定し、前記処理ユニットにより前記超音波プローブの前記第２の幾何学的位置情報を決定することは、前記身体特徴部の前記少なくとも１つの位置に対して前記超音波プローブの前記少なくとも１つの位置を利用することを含む、請求項１乃至３の何れか一項に記載のシステム。
【請求項５】
前記処理ユニットは、前記身体特徴部を含む前記少なくとも１つの超音波画像を利用することによって、モデルベースのセグメンテーションを使用する前記身体特徴部のセグメント化データを決定し、前記処理ユニットにより前記超音波プローブの前記第２の幾何学的位置情報を決定することは、前記身体特徴部の前記セグメント化データを利用することを含む、請求項１乃至４の何れか一項に記載のシステム。
【請求項６】
前記処理ユニットは、前記身体特徴部を含む前記少なくとも１つの超音波画像を利用することによって、前記身体特徴部の位置を基準位置として決定し、前記処理ユニットにより前記超音波プローブの前記第２の幾何学的位置情報を決定することは、前記身体特徴部の前記基準位置を利用することを含む、請求項１乃至５何れか一項に記載のシステム。
【請求項７】
前記処理ユニットにより前記身体部の一部内の前記超音波プローブの第１の幾何学的位置情報を決定することは、前記超音波プローブの三次元モデルの利用を含む、請求項１乃至６の何れか一項に記載のシステム。
【請求項８】
前記処理ユニットは、前記超音波プローブの前記三次元モデルの投影像と前記Ｘ線画像とを比較する、請求項７に記載のシステム。
【請求項９】
前記処理ユニットは、前記三次元モデルと前記Ｘ線画像の間の類似点を、画像比較メトリックを利用して、繰り返し決定する、請求項７又は８に記載のシステム。
【請求項１０】
前記処理ユニットは、前記三次元モデルの位置及び／又は配向を、前記画像比較メトリックを最大にすることによって、最適にする、請求項９に記載のシステム。
【請求項１１】
前記処理ユニットは、前記三次元モデルの少なくとも１つの並進自由度の調整、及び／又は前記三次元モデルの少なくとも１つの回転自由度の調整を含めて、前記三次元モデルと前記Ｘ線画像を比較する、請求項７乃至９の何れか一項に記載のシステム。
【請求項１２】
少なくとも１つの入力ユニット及び処理ユニットを含む、身体部内の超音波プローブの位置を追跡するためのワークステーションであって、
前記少なくとも１つの入力ユニットは、超音波プローブが位置付けられた身体部の一部のＸ線画像を提供し、
前記処理ユニットは、前記身体部の一部内の前記超音波プローブの第１の幾何学的位置情報を、前記Ｘ線画像を利用して決定し、
前記少なくとも１つの入力ユニットは、身体特徴部を含む少なくとも１つの超音波画像を提供し、前記少なくとも１つの超音波画像は前記超音波プローブによって取得され、超音波画像は前記身体部の一部の前記Ｘ線画像の取得時点よりも後の時点に取得される、ワークステーションにおいて、
前記処理ユニットは、さらに、後の時点における前記身体部内の前記超音波プローブの第２の幾何学的位置情報を、第１の幾何学的位置情報と前記身体特徴部を含む前記少なくとも１つの超音波画像とを利用して決定することを特徴とする、ワークステーション。
【請求項１３】
身体部内の超音波プローブの位置を追跡するための、請求項１乃至１１の何れか一項に記載のシステム又は請求項１２に記載のワークステーションを動作させる方法であって、
ａ）前記超音波プローブが位置付けされている前記身体部の一部のＸ線画像を取得するステップと、
ｂ）前記身体部の一部内の超音波プローブの第１の幾何学的位置情報を、前記Ｘ線画像を利用して決定するステップと、
ｃ）前記Ｘ線画像の取得時点よりも後の時点で、前記超音波プローブによって、身体特徴部を含む少なくとも１つの超音波画像を取得するステップと
を含む、方法において、
ｄ）前記後の時点における前記身体部内の前記超音波プローブの第２の幾何学的位置情報を、前記第１の幾何学的位置情報と前記身体特徴部を含む前記少なくとも１つの超音波画像とを利用して決定するステップを更に有することを特徴とする、方法。
【請求項１４】
プロセッサにより実行されたとき、請求項１３に記載の方法を実施する、請求項１乃至１１の何れか一項に記載のシステム又は請求項１２に記載のワークステーションを制御するための、コンピュータプログラム。
【請求項１５】
請求項１４に記載のコンピュータプログラムを記憶した、コンピュータ可読媒体。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
装置であって、患者の会陰の皮膚表面に取り付けるように構成されている皮膚パッチを備えており、前記皮膚パッチが、互いに離れて配置されている少なくとも２つの電極を含み、前記患者の球海綿体筋に電気インパルスを経皮的に送り込み、前記経皮的に送り込まれる電気インパルスが、射精を遅らせるように構成されており、
前記装置は、さらに、前記皮膚パッチの第２の表面に接続される電子回路ハウジングを備え、前記電子回路ハウジングは、
前記少なくとも２つの電極に接続されるバッテリーと、
前記バッテリーに電気的に接続されるコントローラーを含む電子回路と、を備え、
前記電子回路は、前記電気インパルスを電気バッテリーから前記少なくとも２つの電極に送り込むように構成されており、前記電気インパルスは、前記患者の球海綿体筋に到達するように構成されており、
前記装置全体は、前記患者の陰嚢の後面と肛門との間の前記会陰の皮膚表面に取り付けられる、装置。
【請求項２】
前記電気インパルスが、経皮的に送り込まれ、前記球海綿体筋を神経支配する神経の神経筋接合部に到達するように構成されている、請求項１に記載の装置。
【請求項３】
前記球海綿体筋を神経支配する前記神経が、陰部神経の運動枝である、請求項２に記載の装置。
【請求項４】
前記装置は、使い捨てである、請求項１〜３のいずれか一項に記載の装置。
【請求項５】
前記皮膚パッチは、前記患者の大腿部−鼠径部の溝に合致するように形状および大きさが設定されている、請求項１〜４のいずれか一項に記載の装置。
【請求項６】
前記電子回路ハウジングの大きさは、前記皮膚パッチの大きさより小さい、請求項１〜５のいずれか一項に記載の装置。
【請求項７】
前記装置は、前記患者の左右の鼠径部の溝の間に適合するように形状および大きさが設定されている、請求項１〜６のいずれか一項に記載の装置。
【請求項８】
前記装置の幅は、前記患者の肛門生殖突起間距離より小さく、５−５０ｍｍの範囲内である、請求項１〜７のいずれか一項に記載の装置。
【請求項９】
前記装置の長さは、前記患者の鼠径部の溝の距離より小さく、５−４０ｍｍの範囲内である、請求項１〜８のいずれか一項に記載の装置。
【請求項１０】
前記装置の厚さは、１−１０ｍｍの範囲内である、請求項１〜９のいずれか一項に記載の装置。
【請求項１１】
前記装置は、可撓性があり、前記会陰の皮膚表面に合致する、請求項１〜１０のいずれか一項に記載の装置。
【請求項１２】
前記皮膚パッチは、該皮膚パッチが曲がって、会陰の解剖学的構造に合致するように構成された溝状切取り部を備える、請求項１〜１１のいずれか一項に記載の装置。
【請求項１３】
前記皮膚パッチは、２つ以上の湾曲状の切取り部を備え、前記皮膚パッチが前記２つ以上の湾曲状の切取り部の間の軸に沿って曲がるように、前記２つ以上の湾曲状の切取り部のそれぞれが前記皮膚パッチの反対側に配置されている、請求項１〜１２のいずれか一項に記載の装置。
【請求項１４】
前記２つ以上の湾曲状の切取り部は、前記皮膚パッチが患者の動きに合わせて曲がるように構成されている、請求項１３に記載の装置。
【請求項１５】
前記皮膚パッチの外面に湾曲状の切取り部を備え、該湾曲状の切取り部は前記陰嚢の後面に適合するように形状および大きさが設定されている、請求項１〜１４のいずれか一項に記載の装置。
【請求項１６】
前記少なくとも２つの電極の表面領域が、前記患者の坐骨海綿体筋および球海綿体筋に電気インパルスを経皮的に送り込むように構成されており、前記経皮的に送り込まれる電気インパルスが、勃起不全を治療するように構成されている、請求項１〜１５のいずれか一項に記載の装置。
【請求項１７】
前記電気インパルスが、経皮的に送り込まれ、前記坐骨海綿体筋および前記球海綿体筋を神経支配する神経の神経筋接合部に到達するように構成されている、請求項１６に記載の装置。
【請求項１８】
前記バッテリーの電源が、１５分まで持続するように構成されている、請求項１〜１７のいずれか一項に記載の装置。
【請求項１９】
前記経皮的に送り込まれる電気インパルスが、前記患者の球海綿体筋の継続的な収縮を引き起こすように構成されている、請求項１〜１８のいずれか一項に記載の装置。
【請求項２０】
前記経皮的に送り込まれる電気インパルスが、前記坐骨海綿体筋および前記球海綿体筋の収縮性を高めることにより陰茎の硬さを増大させることによって、勃起不全を治療するように構成されている、請求項１６〜１９のいずれか一項に記載の装置。
【請求項２１】
前記経皮的に送り込まれる電気インパルスが、陰茎の静脈漏れを低減することにより陰茎の硬さを高めることによって、勃起不全を治療するように構成されている、請求項１６〜２０のいずれか一項に記載の装置。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
被検者の検査領域における罹患した領域を自動的に検出する医療機器であって、マシン実行可能な命令を格納するメモリと、当該医療機器を制御するプロセッサとを有し、前記マシン実行可能な命令の実行は前記プロセッサに当該医療機器を制御して、
ａ）前記検査領域の第１解剖学的画像及び前記検査領域の第１線維画像を取得させ、その場合において、第１パラメータ及び第２パラメータは前記第１解剖学的画像及び前記第１線維画像の特徴を各々記述し、
ｂ）前記第１解剖学的画像を、前記検査領域における各組織及び／又は構造を示す複数のセグメントに分割させ、
ｃ）分割された前記第１解剖学的画像において第１病変を識別させ、
ｄ）前記第１パラメータ及び第２パラメータの値を使用して、前記第１線維画像における第１線維を追跡する追跡アルゴリズムのため、識別された前記第１病変におけるシード点を決定させる、
医療機器。
【請求項２】
前記マシン実行可能な命令の実行が、更に、前記プロセッサに当該医療機器を制御して、
ｅ）前記検査領域の第２解剖学的画像及び前記検査領域の第２線維画像を取得させ、
ｆ）前記第２解剖学的画像を、前記検査領域における各組織及び／又は構造を示す複数のセグメントに分割させ、
ｇ）分割された前記第２解剖学的画像において第２病変を識別させ、
ｈ）識別された前記第２病変を、前記第２線維画像における第２線維を追跡するために前記追跡アルゴリズムのためのシード点として使用させ、
ｉ）少なくとも前記第１病変と前記第２病変とを比較させ、
ｊ）撮像された第１病変と前記第２病変との間の差分を示すデータを供給させ、
ステップｅ）〜ｊ）を所定の収束基準が満たされるまで反復させる、
請求項１に記載の医療機器。
【請求項３】
前記収束基準が、
前記撮像された第１病変と第２病変との間の差分が所定の閾値より小さいこと、
ステップｊ）の実行に際して停止信号を受信すること、
前記第２病変の数が前記第１病変の数に等しいこと、
のうちの少なくとも１つを有する、請求項２に記載の医療機器。
【請求項４】
前記マシン実行可能な命令の実行が、前記プロセッサに前記医療機器を制御して前記第１解剖学的画像の関心領域における前記追跡を実行させる、請求項１ないし３の何れか一項に記載の医療機器。
【請求項５】
前記関心領域が自動的に選択される、請求項４に記載の医療機器。
【請求項６】
前記第１解剖学的画像が磁気共鳴（ＭＲ）画像を有し、前記第１線維画像が拡散強調画像を有する、請求項１ないし５の何れか一項に記載の医療機器。
【請求項７】
前記被検者から磁気共鳴データを取得するための磁気共鳴撮像（ＭＲＩ）システムを更に有し、該磁気共鳴撮像システムが、撮像ゾーン内にＢ０磁場を発生させる主磁石並びに前記メモリ及び前記プロセッサを有し、前記マシン実行可能な命令の実行が前記プロセッサに前記ＭＲＩシステムを制御して同一又は異なるスキャンにおいて前記ＭＲ画像及び前記拡散強調画像を取得させる、請求項６に記載の医療機器。
【請求項８】
前記マシン実行可能な命令の実行が、更に、前記プロセッサに前記ＭＲ画像及び前記拡散強調画像を異なるスキャンにおいて取得させると共に、ステップａ）〜ｄ）を実行する前に、該ＭＲ画像及び該拡散強調画像を位置合わせさせる、請求項７に記載の医療機器。
【請求項９】
前記マシン実行可能な命令の実行が、更に、前記プロセッサに前記病変の各々の重心を計算させると共に該重心を前記シード点として使用させる、請求項１ないし８の何れか一項に記載の医療機器。
【請求項１０】
前記第１パラメータが識別された病変の大きさ、数、ボクセル輝度及び部分体積のうちの少なくとも１つを有し、前記第２パラメータが拡散の方向及び拡散の大きさのうちの少なくとも１つを有する、請求項１ないし９の何れか一項に記載の医療機器。
【請求項１１】
前記供給されたデータが前記病変の大きさ、数、部分体積のような該病変の特徴を有する、請求項２に記載の医療機器。
【請求項１２】
前記第１病変が白質病変を有し、前記検査領域が脳を有する、請求項１ないし１１の何れか一項に記載の医療機器。
【請求項１３】
被検者の検査領域における罹患した領域を自動的に検出するためのコンピュータプログラムであって、該コンピュータプログラムはプログラム命令が具現化されたコンピュータ読取可能な媒体を有し、前記プログラム命令は、
ａ）前記検査領域の第１解剖学的画像及び前記検査領域の第１線維画像を取得し、その場合において、第１パラメータ及び第２パラメータは前記第１解剖学的画像及び前記第１線維画像の特徴を各々記述し、
ｂ）前記第１解剖学的画像を、前記検査領域における各組織及び／又は構造を示す複数のセグメントに分割し、
ｃ）分割された前記第１解剖学的画像において、第１病変を識別し、
ｄ）前記第１パラメータ及び第２パラメータの値を使用して、前記第１線維画像における第１線維を追跡する追跡アルゴリズムのため、識別された前記第１病変におけるシード点を決定する、
ためにプロセッサにより実行可能であるコンピュータプログラム。
【請求項１４】
ａ）被検者の検査領域の第１解剖学的画像及び前記検査領域の第１線維画像を取得するステップであって、第１パラメータ及び第２パラメータが前記第１解剖学的画像及び前記第１線維画像の特徴を各々記述するステップと、
ｂ）前記第１解剖学的画像を、前記検査領域における各組織及び／又は構造を示す複数のセグメントに分割するステップと、
ｃ）分割された前記第１解剖学的画像において、第１病変を識別するステップと、
ｄ）前記第１パラメータ及び第２パラメータの値を使用して、前記第１線維画像における第１線維を追跡する追跡アルゴリズムのため、識別された前記第１病変におけるシード点を決定するステップと、
を有する、方法。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
被験者の肺の内部の一酸化窒素レベルの富化を制御する装置において、前記装置は、
前記被験者の呼吸サイクルのタイミングを検出する検出器であり、前記呼吸サイクルは、吸気イベント及び呼気イベントの交互発生を有する、検出器、
前記被験者に、音又は振動刺激を加える刺激器、並びに
前記呼吸サイクルの前記検出されたタイミング、及び/又は前記呼吸サイクルのイベントに応じて、前記刺激器を制御する制御器を有し、
前記制御器さらに、前記呼吸サイクルの次の吸気イベントの開始のタイミングの予測を提供するために、前記検出器の出力信号を解釈する、及び前記制御器は、前記呼吸サイクルの前記呼吸イベントの開始の前の既定の期間に前記刺激器を稼働させる、
装置。
【請求項２】
前記検出器は、出力信号を供給する、及び前記制御器は、前記呼吸サイクルの呼吸速度、デューティサイクル及びタイミングを決定するために、前記検出器の前記出力信号を解釈する、請求項１に記載の装置。
【請求項３】
前記検出器は、呼吸フローを検出するフロー検出器又は胸部の動きを検出するセンサを有する、請求項１又は２に記載の装置。
【請求項４】
前記刺激器は、スピーカー又は振動ユニットを有する、請求項１乃至３の何れか一項に記載の装置。
【請求項５】
鼻マスク又はフルフェイスマスク、及び前記マスクに加圧されたガスを供給する圧力供給源を有し、前記刺激器は前記圧力供給源を制御する圧力制御器を有する、請求項１乃至４の何れか一項に記載の装置。
【請求項６】
前記刺激器の周波数は、５０Ｈｚから１０００Ｈｚの範囲内にある、請求項１乃至５の何れか一項に記載の装置。
【請求項７】
前記制御器は、副鼻腔の共鳴周波数に一致する周波数で動作するように、前記刺激器を制御する、請求項１乃至６の何れか一項に記載の装置。
【請求項８】
前記装置は、一酸化窒素の如何なる外部供給源と関連付けられていない、請求項１乃至７の何れか一項に記載の装置。
【請求項９】
音又は振動刺激を制御する方法において、
被験者の呼吸サイクルのタイミングを検出するステップであり、前記呼吸サイクルは吸気イベント及び呼気イベントの交互発生を有する、ステップ、
前記被験者に振動又は音刺激を加えるステップ、
前記吸気サイクルの前記検出されたタイミング、及び/又は前記呼吸サイクルのイベントに応じて前記刺激を制御するステップ、並びに
前記呼吸サイクルの前記吸気イベントの予測される開始の前の所定の期間に前記刺激を与えるステップ
を有する方法。
【請求項１０】
前記呼吸サイクルの呼吸速度、デューティサイクル及びタイミングを決定するために、前記検出されたタイミングを解釈するステップを有する、請求項９に記載の方法。
【請求項１１】
前記振動又は音刺激は、副鼻腔の共鳴周波数に一致する周波数を有する、請求項９又は１０に記載の方法。
【請求項１２】
コンピュータプログラムがコンピュータ上で実行されるとき、請求項９乃至１１の何れか一項に記載の方法を実施するプログラムコード手段を有するコンピュータプログラム。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
定格プレス力の少なくとも８０％でプレスを運転するための方法、特に鍛造クランクプレスのような、工作物を変形、特に鍛造するためのクランクプレスを運転するための方法であって、
前記プレスがサーボ駆動装置と、このサーボ駆動装置と工作物の間に配置された、前記プレスの運転中に動く質量系とを備え、
前記質量系の質量が少なくともスライドによっておよび少なくとも駆動軸によって形成され、
前記質量系が少なくとも一時的に前記サーボ駆動装置によって駆動され、
変形工程のために定格プレス力の最大で８０％が前記サーボ駆動装置によって供され、
変形工程の際に定格プレス力の少なくとも１００％が供されるように、変形工程の前に前記質量系の質量が前記サーボ駆動装置によって加速される、
上記方法。
【請求項２】
プレスの定格プレス力を高めるための方法、特に鍛造クランクプレスのような、工作物を変形、特に鍛造するためのクランクプレスの定格プレス力を高めるための方法であって、
前記プレスがサーボ駆動装置と、このサーボ駆動装置と工作物の間に配置された、前記プレスの運転中に動く質量系とを備え、
前記質量系の質量が少なくともスライドによっておよび少なくとも駆動軸によって形成され、
前記質量系が少なくとも一時的に前記サーボ駆動装置によって駆動され、
高められた定格プレス力が前記サーボ駆動装置と前記質量系によって割当量に応じて提供され、
８０％の定格プレス力と少なくとも１００％の定格プレス力の差が、前記質量系の質量の回転数を高めることによっておよび／または前記質量系の質量を増大することによって調整される、
上記方法。
【請求項３】
変形工程の際に放出された前記質量系のエネルギが次の変形工程まで前記サーボ駆動装置によって前記質量系に再び供給されることを特徴とする請求項１または２に記載の方法。
【請求項４】
前記プレスが連続的に回転するプレスとして運転され、
サイクルの終わりに前記質量系に含まれるエネルギが、前記プレスの連続的な回転によって次のサイクルに受け渡されることを特徴とする請求項１〜３のいずれか一項に記載の方法。
【請求項５】
クランク軸が前記サーボ駆動装置によって駆動され、
前記スライドが前記クランク軸によって駆動され
変形工程の外でおよび変形工程中に、精々、必要なトルクの最大で８０％のトルクが、前記サーボ駆動装置から前記クランク軸に加えられることを特徴とする請求項１または２に記載の方法。
【請求項６】
前記プレスの自己遠心質量が前記スライドによっておよび特に前記スライドと前記駆動軸と好ましくは追加質量によって形成されることを特徴とする請求項１〜５のいずれか一項に記載の方法。
【請求項７】
前記質量系に含まれる運動エネルギを利用し、その都度必要な変形エネルギの全部を電源網から調達しないことを特徴とする請求項１〜６のいずれか一項に記載の方法。
【請求項８】
変形工程が前記プレスの定格出力の少なくとも８０％を必要とする場合、前記工作物が前記サーボ駆動装置の駆動出力によって割当量に応じておよび前記質量系の運動エネルギの放出下で割当量に応じて変形されることを特徴とする請求項１に記載の方法。
【請求項９】
変形の際に、前記プレスの定格出力の少なくとも２０％の範囲内で、前記質量系から運動エネルギが放出されることを特徴とする請求項１または２に記載の方法。
【請求項１０】
プレス、特に鍛造クランクプレスのような、工作物を変形、特に鍛造するためのクランクプレスであって、
前記プレスがサーボ駆動装置を備え、前記プレスが前記サーボ駆動装置と工作物の間に配置された、前記プレスの運転中に動く質量系を備え、前記質量系の質量が少なくともスライドによっておよび少なくとも駆動軸によって形成されている、プレスにおいて、
前記サーボ駆動装置が変形工程のためにプレスの定格プレス力の最大で８０％を提供し、
前記質量系が前記サーボ駆動装置による加速の結果として、前記プレスの定格プレス力の少なくとも１０％を変形工程のために提供することを特徴とするプレス。
【請求項１１】
前記サーボ駆動装置が前記駆動軸に連結されていることを特徴とする請求項１０に記載のプレス。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
ベルトを移動させるための第１のローラと、
ベルトを移動させるための第２のローラと、
前記第１のローラ及び前記第２のローラの周囲でテンションをかけられたベルトと、
前記ベルトに面するように配置されて、第１の自己制限的単層形成材料の単層を前記ベルトに付着させるための第１の自己制限的単層形成材料堆積要素を備える第１の堆積ステーションと、
前記ベルトに吹き付けるガスカーテンを提供するために、前記第１の堆積ステーションの下流に配置された第１の方向性ガスカーテン生成要素と、を備えている装置。
【請求項２】
前記第１の方向性ガスカーテン生成要素の下流に配置されて、第２の自己制限的単層形成材料の単層を前記ベルトに付着させるための第２の自己制限的単層形成材料堆積要素を備える第２の堆積ステーションと、
前記ベルトに吹き付けるガスカーテンを提供するために、前記第２の堆積ステーションの下流に配置された第２の方向性ガスカーテン生成要素と、を更に備えている、請求項１に記載の装置。
【請求項３】
前記第１の自己制限的単層形成材料は、第１の液体の成分であり、
前記装置は、
前記第１の液体の少なくとも一部を回収して前記回収された第１の液体の少なくとも一部を前記第１の堆積ステーションに戻すための第１のリサイクル要素を更に備えている、請求項１又は２に記載の装置。
【請求項４】
前記第２の自己制限的単層形成材料は、第２の液体の成分であり、前記装置は、
前記第２の液体の少なくとも一部を回収して前記回収された第２の液体の少なくとも一部を前記第２の堆積ステーションに戻すための第２のリサイクル要素を更に備えている、請求項２又は３に記載の装置。
【請求項５】
基材上にコーティングを作製する方法であって、
（ａ）ベルトの少なくとも一部分が第１の堆積ステーションに面するように、第１のローラ及び第２のローラの周囲で前記ベルトの形態の基材にテンションをかけるステップであって、
前記第１の堆積ステーションは、
第１の自己制限的単層形成材料の単層を前記ベルトに付着させるための第１の自己制限的単層形成材料堆積要素を備える、ステップと、
（ｂ）前記第１の自己制限的単層形成材料堆積要素を連動させながら、前記第１のローラ及び前記第２のローラの周囲で前記ベルトを移動させて、第１の自己制限的単層形成材料を含む第１の液体を前記ベルト上に適用するステップと、
（ｃ）前記第１の堆積ステーションの下流に配置された第１の方向性ガスカーテン生成要素を連動させて、前記ベルト上に少なくとも第１の自己制限的単層形成材料の単層を残しながら、前記ベルト上の前記第１の液体の計量と乾燥を同時に行うガスカーテンを提供するステップと、を備えている方法。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
患者体内の標的構造体を治療するための放射線治療計画を策定するシステムであって、前記放射線治療計画が、前記標的構造体への放射線の送達を制御するパラメータを含み、前記システムは、
放射線治療中の連続した複数の時点についての前記標的構造体の輪郭の推定の系列を、時間の経過に伴う前記輪郭の変化を定量化するモデルに基づいて決定するモデリング・ユニットと、
前記標的構造体の前記輪郭の推定の系列に基づいて前記放射線治療計画を決定する計画策定ユニットとを備え、
ある時点についての前記輪郭の推定が、その時点よりも前の放射線治療計画に従って前記標的構造体に照射される放射線量に基づいて決定される、システム。
【請求項２】
前記モデリング・ユニットは、前記標的構造体の基準画像を受け取り、前記基準画像に基づいて前記輪郭の推定の系列を決定する、請求項１に記載のシステム。
【請求項３】
ある時点についての前記輪郭の推定が、その時点よりも前の放射線治療に加えて、前記標的構造体に適用される１つ又は複数の治療の予想される効果に基づいて決定される、請求項１に記載のシステム。
【請求項４】
ある時点についての前記輪郭の推定が、外部介入とは無関係の前記標的構造体の予想される変化に基づいて決定される、請求項１に記載のシステム。
【請求項５】
放射線が、連続する複数の治療フラクションにおいて前記標的構造体に送達され、前記複数の時点は、前記治療フラクションのうちの少なくともいくつかの治療フラクションに対応する、請求項１に記載のシステム。
【請求項６】
前記モデリング・ユニットが、時間の経過に伴う前記輪郭の異なる変化に従って前記輪郭の推定の複数の系列を推定し、前記計画策定ユニットが、前記輪郭の推定のそれぞれの系列に対して１つの放射線治療計画を含む複数の放射線治療計画を決定する、請求項１に記載のシステム。
【請求項７】
前記標的構造体に対する治療フラクションの適用に関連して前記標的構造体の画像を撮影する画像化ユニットと、前記画像に示された前記標的構造体の前記輪郭に基づいて、前記複数の放射線治療計画の中から放射線治療計画を選択するモニタリング・ユニットとを備える、請求項６に記載のシステム。
【請求項８】
前記画像は３次元画像である、請求項７に記載のシステム。
【請求項９】
前記モニタリング・ユニットは、前記画像に示された前記標的構造体の前記輪郭の少なくとも１つのパラメータの値を決定し、決定された前記値に最もよく整合した、前記少なくとも１つのパラメータの値を有する輪郭に割り当てられた放射線治療計画を選択する、請求項７に記載のシステム。
【請求項１０】
前記モニタリング・ユニットは、前記画像に示された前記標的構造体の輪郭の少なくとも１つのパラメータの値を、選択されている放射線治療計画が割り当てられた輪郭の推定の系列に含まれる前記標的構造体の輪郭に対するパラメータの値と比較し、前記モニタリング・ユニットは、前記パラメータの値の差が所定のしきい値よりも大きい場合に別の治療計画を選択する、請求項７に記載のシステム。
【請求項１１】
前記パラメータは、前記標的構造体のボリューム及び／又は前記標的構造体の直径に対応する、請求項９又は１０に記載のシステム。
【請求項１２】
前記パラメータは、輪郭上に置かれた標識点と所定の点との間の距離に基づいて計算され、この所定の点は、前記標的構造体の推定される中心に対応する、請求項９又は１０に記載のシステム。
【請求項１３】
患者体内の標的構造体を治療するための放射線治療計画を策定する方法であって、前記放射線治療計画が、前記標的構造体への放射線の送達を制御するパラメータを含み、前記方法は、
放射線治療中の連続した複数の時点についての前記標的構造体の輪郭の推定の系列を、時間の経過に伴う前記輪郭の変化を定量化するモデルに基づいて決定するステップと、
前記標的構造体の前記輪郭の推定の系列に基づいて前記放射線治療計画を決定するステップとを有し、
ある時点についての前記輪郭の推定が、その時点よりも前の放射線治療計画に従って前記標的構造体に照射される放射線量に基づいて決定される、方法。
【請求項１４】
患者体内の標的構造体を治療するための放射線治療計画を策定するシステムの処理ユニット内で実行可能なコンピュータ・プログラムであって、前記放射線治療計画が、前記標的構造体への放射線の送達を制御するパラメータを含み、前記コンピュータ・プログラムは、請求項１３に記載の方法を前記処理ユニットに実行させるプログラム・コード手段を含む、コンピュータ・プログラム。
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
作業面及び前記作業面とは反対側を向いた第２の表面を有する研磨層であって、前記作業面は、ランド領域と、複数の正確に成形された細孔及び複数の正確に成形された突起のうちの少なくとも一方とを含み、前記ランド領域の厚さが約５ｍｍ未満であり、前記研磨層はポリマーを含む、研磨層と、
第１主面、反対側を向いた第２主面、及び複数の中空部を有する多孔質基材と、
前記研磨層の前記ポリマーの一部が、前記多孔質基材の前記複数の中空部の少なくとも一部に埋め込まれている、境界面領域と
を含む研磨パッド。
【請求項２】
前記研磨層が、少なくとも１つのマクロチャネルを更に含む、請求項１に記載の研磨パッド。
【請求項３】
前記境界面領域は、前記研磨パッドの厚さを介して、前記少なくとも１つのマクロチャネルと位置が整合している、請求項２に記載の研磨パッド。
【請求項４】
請求項１に記載の研磨パッド、及び研磨溶液を含む、研磨システム。
【請求項５】
基材を研磨する方法であって、
請求項１に記載の研磨パッドを準備することと、
基材を準備することと、
前記研磨パッドの前記作業面を前記基材の表面に接触させることと、
前記研磨パッドの前記作業面と前記基材の表面との間の接触を維持しながら、前記研磨パッドと前記基材とを互いに対して移動させることと
を含み、
研磨は研磨溶液の存在下で実行される、基材を研磨する方法。
【請求項６】
ポリマーを準備することと、
複数の中空部を有し、前記ポリマーに隣接する多孔質基材を準備することと、
前記ポリマーの表面をエンボス加工して、作業面を有する研磨層を形成することであって、前記作業面が、ランド領域と、複数の正確に成形された細孔及び複数の正確に成形された突起のうちの少なくとも一方とを含み、前記エンボス加工は、前記研磨層の前記ポリマーの一部が前記多孔質基材の前記複数の中空部の前記少なくとも一部に埋め込まれている境界面領域を形成する、ことと
を含む、研磨パッドの製造方法。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
光透過性光学構成要素の製造方法であって、前記方法が、少なくとも２つの層のスタックを３Ｄ印刷するステップを含み、前記少なくとも２つの層が異なる屈折率を有する材料で作製され、各層が、前記スタックのスタック方向に対して垂直な光軸を有する、両凸円柱レンズであり、前記スタックが、熱溶解積層法を使用して３Ｄ印刷される、方法。
【請求項２】
前記スタックが、前記スタック方向で前記スタックが湾曲しているように３Ｄ印刷される、請求項１に記載の方法。
【請求項３】
前記方法が、少なくとも１つの層が所望のアスペクト比を有するように、印刷処理条件を選択するステップを含む、請求項１又は２のいずれか一項に記載の方法。
【請求項４】
前記方法が、少なくとも２つの層が異なるアスペクト比を有するように、印刷処理条件を選択するステップを含む、請求項１乃至３のいずれか一項に記載の方法。
【請求項５】
前記方法が、少なくとも１つの両凸円柱レンズが所望の曲率半径を有するように、印刷処理条件を選択するステップを含む、請求項１乃至４のいずれか一項に記載の方法。
【請求項６】
少なくとも１つの層が、光散乱材料、光吸収材料、及び蛍光材料のうちの少なくとも１つを含む、請求項１乃至５のいずれか一項に記載の方法。
【請求項７】
熱溶解積層法を使用して３Ｄ印刷された、光透過性光学構成要素であって、前記光学構成要素が、２つ以上の層のスタックを備え、前記少なくとも２つの層が異なる屈折率を有する材料で作製され、各層が、前記スタックのスタック方向に対して垂直な光軸を有する、両凸円柱レンズである、光透過性光学構成要素。
【請求項８】
前記スタックが、前記スタック方向で湾曲している、請求項７に記載の光学構成要素。
【請求項９】
少なくとも２つの層が、異なるアスペクト比を有する、請求項７又は８に記載の光学構成要素。
【請求項１０】
少なくとも１つの層が、光散乱材料、光吸収材料、及び蛍光材料のうちの少なくとも１つを含む、請求項７乃至９のいずれか一項に記載の光学構成要素。
【請求項１１】
照明デバイスであって、
少なくとも１つの光源と、
請求項７乃至１０のいずれか一項に記載の、少なくとも１つの光学構成要素と、を備え、前記少なくとも１つの光学構成要素が、前記少なくとも１つの光源によって放射された光を受光するように構成されている、照明デバイス。
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
第１主面及び第２主面を有する印刷された織布層と、
第１主面及び第２主面を有し、その第２主面が、前記印刷された織布層の前記第１主面に接着結合されている、低光沢度光透過性フィルム層と、を含み、
前記光透過性フィルム層の前記第１主面が、前記印刷された布地の前記第１主面に接着結合される前の前記光透過性フィルム層の視感反射率係数よりも少なくとも５０％低い相対視感反射率係数を有し、かつ
前記視感反射率係数がＡＳＴＭ  Ｄ５２３−１４に従い、６０°で測定されたものである、
布地系低光沢度グラフィックフィルム。
【請求項２】
前記光透過性フィルム層に関して用いられるとき、低光沢度が、その第１主面の視感反射率係数が２０未満であることを含む、請求項１に記載の布地系低光沢度グラフィックフィルム。
【請求項３】
前記布地層がポリエステル系布地を含む、請求項１に記載の布地系低光沢度グラフィックフィルム。
【請求項４】
前記光透過性フィルム層の前記第１主面が、接着結合後、少なくとも１０である算術表面粗さの値Ｒａを有する、請求項１に記載の布地系低光沢度グラフィックフィルム。
【請求項５】
前記ポリエステル系布地が不織布である、請求項３に記載の布地系低光沢度グラフィックフィルム。
【請求項６】
前記光透過性フィルム層が、ポリ塩化ビニル系フィルム及びセルロースエステルフィルムの少なくとも１つを含む、請求項１に記載の布地系低光沢度グラフィックフィルム。
【請求項７】
第１主面及び第２主面を有する印刷された織布層と、
第１主面及び第２主面を有し、その第２主面が、前記印刷された織布層の前記第１主面に接着結合されている、低光沢度光透過性フィルム層と、を含み、
前記布地系低光沢度グラフィックフィルムが、１０未満である視感反射率値及び少なくとも１０である表面粗さの値を有する、
布地系低光沢度グラフィックフィルム。
【請求項８】
前記視感反射率値がＡＳＴＭ  Ｄ５２３−１４に従って６０°で測定されたものであり、前記表面粗さがＡＳＴＭ  Ｄ７１２７−１３に従って測定されたものである、請求項７に記載の布地系低光沢度グラフィックフィルム。
【請求項９】
前記織布層がポリエステル系布地を含む、請求項８に記載の布地系低光沢度グラフィックフィルム。
【請求項１０】
第１主面及び第２主面を有する印刷されたポリエステル系織布の一部を、少なくとも８５℃まで加熱する工程と、
第１主面及び第２主面を有する光透過性フィルムの第２主面の一部を、前記ポリエステル系布地の前記加熱された部分上にプレスする工程と、を含み、
前記光透過性フィルムの前記プレスされた部分の前記第１主面が、プレス前に第１の算術表面粗さＲａを有し、前記光透過性フィルムの前記プレスされた部分が、プレス後に第２の算術表面粗さＲａを有し、前記第２の算術表面粗さＲａが前記第１の算術表面粗さＲａよりも少なくとも３００％高い、
布地系積層フィルムの製造方法。
【誤訳訂正書】
【提出日】令和1年10月13日(2019.10.13)
【誤訳訂正１】
【訂正対象書類名】明細書
【訂正対象項目名】０００２
【訂正方法】変更
【訂正の内容】
【０００２】
金属有機構造体材料（ＭＯＦｓ）は、金属イオン（クラスタ）と有機架橋配位子を接続してなるナノ孔を有する超分子結晶材料であり、比表面積が極めて大きく、孔径とトポロジー構造が調整可能であり、熱安定性、化学的安定性に優れる等の有益な特徴を有するため、その他の材料に比べて、使用の将来性が期待できる。金属有機構造体材料は調整可能な孔径及びトポロジー構造を有することによって、バイオセンサ、化学センサの分野における応用の将来性が幅広く、また、金属有機構造体材料の触媒、ガス貯蔵、吸着と分離、薬物徐放等の複数の分野での応用について研究を行った。
【誤訳訂正２】
【訂正対象書類名】明細書
【訂正対象項目名】０００４
【訂正方法】変更
【訂正の内容】
【０００４】
ターゲット認識はセンサの要素の１つであり、ＭＯＦｓ材料はセンサとして長所がある。ＭＯＦｓ材料のトポロジー構造、ノード金属イオンの選択、リンガーである有機配位子の寸法と形状及び構造体の組成形態等の要素がすべてＭＯＦｓの孔構造と孔の寸法に影響を与える。孔の構造及び寸法による対象物質の定性的な選択は、ＭＯＦｓの重要な特性の１つであり、センサ分野における応用に対してＭＯＦｓ材料の最も魅力的な特徴でもある。寸法がＭＯＦｓ孔構造より小さい原子または分子しか孔中に吸着されて検出することができず、孔内の構造及び基はターゲット物質と相互作用して（たとえば、静電相互作用、水素結合、π−π、共有結合等）、さらに選択性を向上できる。前記ＭＯＦｓ材料特有の孔構造及び大きな比表面積のような特徴に鑑み、ＭＯＦｓはターゲット物質を効果的に吸着させて富化して、検出感度を向上させることができる。
【誤訳訂正３】
【訂正対象書類名】明細書
【訂正対象項目名】０００５
【訂正方法】変更
【訂正の内容】
【０００５】
大部分のＭＯＦｓ材料は、電気伝導能力がないが、特有の孔構造及び化学調節性を有することから、電気化学センサの分野に幅広く利用できる。有機配位子、金属イオンを変化させる、または金属有機構造体材料にレドックス活性を有する物質を直接導入することによって、レドックス活性及び良好な電気伝導能力を有して孔構造が安定的なＭＯＦｓ材料を製造し、物理的堆積、自己集合、電解堆積等の方法によってＭＯＦｓフィルム電気化学センサ界面及びセンサデバイスを構築することができる。レドックス活性及び良好な電気伝導能力を有するＭＯＦｓ材料のセンサ界面の構造、孔構造、界面における生体分子認識、富化及び電気化学的信号変換等の課題を研究することによって、電気化学センサの選択性を向上させて、検出限界を低下させ、検出範囲を広げる。生体適合性を利用して、基質に対して生体認識性と生物学的酵素による触媒機能を有する生物学的界面を構築して、バイオセンサに係る生体分子の界面での電子の酸化還元移動の基本的な挙動が研究されている。
【誤訳訂正４】
【訂正対象書類名】明細書
【訂正対象項目名】０００６
【訂正方法】変更
【訂正の内容】
【０００６】
しかしながら、従来の方法では、浸漬方式で金属有機構造体に酸化還元活性物質を導入するのが一般的であり、まずＭＯＦｓを合成して、次にターゲット物質を有機溶剤に溶解して、共有結合によりターゲット物質をＭＯＦｓに修飾することになる。この方法には、以下の欠点が存在する。１、実験過程が複雑で且つコストが高く、且つ大量の廃棄物を発生させる。２、この方法では、ＭＯＦｓの孔寸法が小さく一定であることから、大分子のターゲット物質を封入しにくく、それによって、ターゲット物質はＭＯＦｓ材料の表面に集まり、ターゲット物質の担持量低下を招く。３、ＭＯＦｓ材料におけるターゲット物質の電力負荷能力を低下させる。
【誤訳訂正５】
【訂正対象書類名】明細書
【訂正対象項目名】０００８
【訂正方法】変更
【訂正の内容】
【０００８】
本発明は、上記製造方法によって製造された、ターゲット分子で修飾されたＺＩＦ−８であって電気伝導特性を有する金属有機構造体複合材を提供し、従来技術による金属有機構造体に電気伝導能力が欠くという欠点を解決することを第２目的とする。
【誤訳訂正６】
【訂正対象書類名】明細書
【訂正対象項目名】００１５
【訂正方法】変更
【訂正の内容】
【００１５】
上記製造方法によって製造された金属有機構造体複合材は、金属有機構造体ＺＩＦ−８と金属有機構造体の内部に封入されたターゲット物質とを含み、前記ターゲット物質はメチレンブルー、メチルオレンジまたは金属ナノ粒子である。ターゲット物質はレドックス活性と電気伝導能力を有する。
【誤訳訂正７】
【訂正対象書類名】明細書
【訂正対象項目名】００１７
【訂正方法】変更
【訂正の内容】
【００１７】
ＺＩＦ−８フレームワーク構造は、金属ＺｎイオンとメチルイミダゾールエステルにおけるＮ原子を接続してなるＺｎＮ４四面体構造ユニットから構成されるものであり、トポロジー構造がソーダライト（ｓｏｄａｌｉｔｅ、ＳＯＤ）と類似しており、ユニットセル毎に、直径が１．１６ｎｍで６個のＺｎ原子からなる直径０．３４ｎｍの六員環ケージ口によって接続されたＳＯＤケージを２個有する。
上記金属有機構造体複合材で修飾された修飾電極。
三電極システムであって、電気化学ワークステーションと、それに接続された補助電極、作用電極及び参照電極とを含み、前記作用電極は上記修飾電極である。
上記修飾電極の製造方法であって、
【誤訳訂正８】
【訂正対象書類名】明細書
【訂正対象項目名】００１８
【訂正方法】変更
【訂正の内容】
【００１８】
上記金属有機構造体を水に分散させて分散液を形成し、次に分散液を電極表面に滴下して乾燥させて、メチレンブルー＠ＭＯＦｓ修飾電極を得るステップを含む。
好ましくは、前記分散液において、金属有機構造体の濃度が０．８−１．２ｍｇ／ｍｌである。
上記修飾電極のドーパミン、クエルセチン、ルチンの検出における応用。